(57)【要約】【課題】キー操作時の視線の移動距離を限りなく少なくする。デスクトップ型やノート型などどのようなパソコンでも使用できるようにする。【解決手段】スタンド５Ｄの脚部５Ｄ１と支柱部５Ｄ２と透過液晶モニタ５Ｃとで断面「コ」字状の差し込み構造を形成する。スタンド５Ｄの脚部５Ｄ１をキーボード１の底面１ａとこのキーボード１が置かれる面６との間の隙間ｈに差し込む。このスタンド５Ｄの設置状態において、透過液晶モニタ５Ｃは、キーボード１の上面に浮上した状態で位置し、キーボード１上のキーがある部分に重ねられる。キーボード１から打ち込まれた編集文章は、パソコンのディスプレイに表示されると同時に、手元の透過液晶モニタ５Ｃにも表示される。【選択図】  図２
2010287084.tif 000002
【特許請求の範囲】
【請求項１】
キーボードとディスプレイとを備えた情報処理装置に接続されるＵＳＢコネクタと、
このＵＳＢコネクタを介して前記情報処理装置より送られてくる前記キーボードから打ち込まれた編集中の文章を表示する透過液晶モニタと、
この透過液晶モニタを支えるスタンドとを備え、
前記スタンドは、
前記キーボードの底面とこのキーボードが置かれる面との間の隙間にその脚部を差し込んで設置され、
前記透過液晶モニタは、
前記スタンドがその脚部を前記隙間に差し込んで設置された状態において前記キーボードの上面に浮上した状態で位置する
ことを特徴とする編集文章表示装置。
【請求項２】
請求項１に記載された編集文章表示装置において、
前記透過液晶モニタは、
前記スタンドにその表示面の角度を調整可能に支えられている
ことを特徴とする編集文章表示装置。
【請求項３】
請求項１又は２に記載された編集文章表示装置において、
前記透過液晶モニタは、
前記スタンドに前記キーボードとの間の距離を調整可能に支えられている
ことを特徴とする編集文章表示装置。
【請求項４】
請求項１〜３の何れか１項に記載された編集文章表示装置において、
前記透過液晶モニタのフレームは、透過性の材料で形成されている
ことを特徴とする編集文章表示装置。
【請求項５】
請求項１〜４の何れか１項に記載された編集文章表示装置において、
前記スタンドは、透過性の材料で形成されている
ことを特徴とする編集文章表示装置。
【請求項６】
スタンドに支持された透過液晶モニタをキーボードの上面に浮上させた状態で位置させるステップと、
前記キーボードの上面に浮上した状態で位置する前記透過液晶モニタに前記キーボードから打ち込まれた編集中の文章を表示するステップと
を備えることを特徴とする編集文章表示方法。
【発明の詳細な説明】
【技術分野】
【０００１】
この発明は、キーボードとディスプレイとを備えた情報処理装置に用いられる編集文章表示装置および方法に関するものである。
【背景技術】
【０００２】
近年、情報処理装置として、パーソナルコンピュータ（以下、パソコンと略す）の普及が目覚ましい。パソコンには、デスクトップ型、ノート型などの種類があるが、何れもキーボードとディスプレイとを備えている。
【０００３】
このパソコンにおいて、操作者は、ディスプレイ上に表示される文字を見ながら、キーボードを操作して、文章を作成して行く。この場合、高齢者や幼児にはキーボードの操作が難しく、人差し指で一つ一つキーを確かめながら、ディスプレイ上に表示される文字と照らし合わせて、文章を作成して行くことが多い。また、一々画面を確認しなければ、文字を打ち込むことができない人も少なくない。
【０００４】
このような場合、操作者は視線をキーボードとディスプレイとの間で頻繁に移動させることになり、目や肩が疲れ、誤字や脱字も多くなり、入力速度も低下してしまう。
【０００５】
そこで、関連する技術として、例えば、特許文献１では、ワードプロセッサにケーブルを介して液晶表示盤を接続し、この液晶表示盤にキーボードから打ち込まれた編集中の文章（例えば、現在入力中の１行分）を同時に表示するようにしている。この場合、ワードプロセッサに接続された液晶表示盤は、例えば磁石により原稿台に吸着させて用いるが、原稿を使用しない場合にはキーボード上にも移動することができる。この液晶表示盤をキーボード上に移動して用いれば、キーボード上で編集中の文章を見ることができるので、キーボードとディスプレイとの間で頻繁に視線を移動させなくてもよくなる。
【０００６】
また、特許文献２や３では、キーボードに液晶パネル等からなる表示部を設け、この表示部にキーボードから打ち込まれた編集中の文章（例えば、現在入力中の１行分）を同時に表示するようにしている。また、特許文献４では、キーボードの近くにサブ画面を配置し、このサブ画面にキーボードから打ち込まれた編集中の文章（例えば、現在入力中の文章のうち、漢字変換中の単語を含む最新の入力部分）を同時に表示するようにしている。この特許文献２や３でも、特許文献１において液晶表示盤をキーボード上に移動して用いた場合と同様、キーボード上あるいはキーボードの近くで編集中の文章を見ることができるので、キーボードとディスプレイとの間で頻繁に視線を移動させなくてもよくなる。
【０００７】
また、特許文献５では、パソコンのディスプレイを透過性とし、この透過性のディスプレイをキーボードの上部に重ねて配置している。この場合、操作者は、パソコンのディスプレイが透過性になっているので、視線を動かさなくてもキーボード（キーボード上の指の位置）とディスプレイ（編集中の文章）の両方を観察することができる。
【先行技術文献】
【特許文献】
【０００８】
【特許文献１】実開昭６２−０９９０９０号公報
【特許文献２】特開２０００−２０７１０７号公報
【特許文献３】特開昭６３−２４９２１５号公報
【特許文献４】特開平０９−３０５２６６号公報
【特許文献５】特開平０６−０１８８１２号公報
【発明の概要】
【発明が解決しようとする課題】
【０００９】
しかしながら、上述した特許文献１に示された技術では、キー操作の邪魔になるので、液晶表示盤をキーボード上のキーがある部分に重ねて置くわけには行かない。すなわち、キーボード上のキーがない部分に液晶表示盤を置かなければならず、そのようなスペースがキーボード上にない場合には液晶表示盤をキーボードの外に置かざるを得ない。この場合、キー操作時の視線の移動距離が大きくなり、その分、疲れやすく、誤字や脱字も多くなる。
【００１０】
また、上述した特許文献２〜４に示された技術においても、キーボード上のキーがある部分から離れた位置に表示部やサブ画面が設けられるので、キー操作時の視線の移動距離が大きくなり、同様の問題が生じる。特に、特許文献２および３に示された技術では、表示部の有無で２種類のキーボードが存在し、管理上の問題も生じることになる。
【００１１】
また、上述した特許文献５に示された技術では、パソコンのディスプレイを透過性とし、この透過性のディスプレイをキーボードの上部に重ねて配置しなければならず、パソコンの構造が特殊なものとなってしまい、デスクトップ型やノート型など汎用的なパソコンに適用することはできない。
【００１２】
本発明は、このような課題を解決するためになされたもので、その目的とするところは、キー操作時の視線の移動距離を限りなく少なくすることができ、かつデスクトップ型やノート型などどのようなパソコンでも使用することが可能な編集文章表示装置および方法を提供することにある。
【課題を解決するための手段】
【００１３】
このような目的を達成するために、本発明に係る編集文章表示装置は、キーボードとディスプレイとを備えた情報処理装置に接続されるＵＳＢコネクタと、このＵＳＢコネクタを介して情報処理装置より送られてくるキーボードから打ち込まれた編集中の文章を表示する透過液晶モニタと、この透過液晶モニタを支えるスタンドと設け、スタンドの脚部をキーボードの底面とこのキーボードが置かれる面との間の隙間に差し込んで設置するようにし、このスタンドの設置状態において透過液晶モニタをキーボードの上面に浮上した状態で位置させるようにしたものである。
【００１４】
この発明によれば、スタンドの脚部をキーボードの底面とこのキーボードが置かれる面との間の隙間に差し込んで設置すると、このスタンドに支えられた透過液晶モニタがキーボードの上面に浮上した状態で位置する。本発明では、透過液晶モニタがキーボードの上面に浮上した状態で位置するので、透過液晶モニタをキーボード上のキーがある部分に重ねて配置することができる。この場合、透過液晶モニタが浮上しているので、その透過液晶モニタの下面側の空間でキー操作を行うことができる。また、透過液晶モニタを通して、キーの位置を観察することができる。また、キーボードから打ち込まれた文字は、ディスプレイに表示されると同時に、透過液晶モニタにも表示される。
【００１５】
すなわち、本発明では、キーボードから打ち込まれた編集中の文章がディスプレイに表示されると同時に、手元の透過液晶モニタにも表示される。これにより、キー操作時の視線の移動距離を限りなく少なくすることができ、疲れにくく、誤字や脱字も少なくなる。また、スタンドの脚部をキーボードの底面とこのキーボードが置かれる面との間の隙間に差し込むのみでよく、デスクトップ型やノート型などジャンルを問わず、どのようなパソコンでも使用することが可能である。
【発明の効果】
【００１６】
本発明によれば、キーボードとディスプレイとを備えた情報処理装置に接続されるＵＳＢコネクタと、このＵＳＢコネクタを介して情報処理装置より送られてくるキーボードから打ち込まれた編集中の文章を表示する透過液晶モニタと、この透過液晶モニタを支えるスタンドと設け、スタンドの脚部をキーボードの底面とこのキーボードが置かれる面との間の隙間に差し込んで設置するようにし、このスタンドの設置状態において透過液晶モニタをキーボードの上面に浮上した状態で位置させるようにしたので、キーボードから打ち込まれた編集中の文章をディスプレイに表示すると同時に、手元の透過液晶モニタにも表示させるようにし、キー操作時の視線の移動距離を限りなく少なくすることが可能となる。また、スタンドの脚部をキーボードの底面とこのキーボードが置かれる面との間の隙間に差し込むのみでよく、デスクトップ型やノート型などジャンルを問わず、どのようなパソコンでも使用することが可能となる。
【図面の簡単な説明】
【００１７】
【図１】本発明に係る編集文章表示装置の一実施例の使用例を示す概略図である。
【図２】この編集文章表示装置をキーボードの底面とこのキーボードが置かれる面との間の隙間にスタンドの脚部を差し込んで設置した状態を示す図である。
【発明を実施するための形態】
【００１８】
以下、本発明を図面に基づいて詳細に説明する。図１はこの発明に係る編集文章表示装置の一実施例の使用例を示す概略図である。
【００１９】
図１において、１はキーボード、２はディスプレイ、３はコンピュータ本体であり、このキーボード１，ディスプレイ２およびコンピュータ本体３によってデスクトップ型のパソコン４が構成されている。
【００２０】
５は本発明に係る編集文章表示装置であり、ＵＳＢ（Universal Serial Bus）コネクタ５Ａと、このＵＳＢコネクタ５Ａにケーブル５Ｂを介してつながる透過液晶モニタ５Ｃと、この透過液晶モニタ５Ｃを支えるスタンド５Ｄ（図２参照）とを備えている。図２は図１に平面方向から見た図として示したキーボード１を横方向（正面）から見た図である。
【００２１】
スタンド５Ｄは断面Ｌ字状とされ、脚部５Ｄ１と支柱部５Ｄ２とを有し、支柱部５Ｄ２の上端部に透過液晶モニタ５Ｃがそのほゞ全面を浮上させた状態で支持されている。すなわち、透過液晶モニタ５Ｃがその左端部で支柱部５Ｄ２の上端部に支持されており、スタンド５Ｄの脚部５Ｄ１と支柱部５Ｄ２と透過液晶モニタ５Ｃとで断面「コ」字状の差し込み構造が形成されている。
【００２２】
また、スタンド５Ｄ（５Ｄ１，５Ｄ２）は透過性の材料で形成されており、透過液晶モニタ５Ｃの透過液晶部５Ｃ１の周囲を囲むフレーム５Ｃ２も透過性の材料で形成されている。すなわち、透過液晶部５Ｃ１の基材、透過液晶部５Ｃ１の周囲を囲むフレーム５Ｃ２、透過液晶モニタ５Ｃを支えるスタンド５Ｄ（５Ｄ１，５Ｄ２）は全て透明（スケルトン）とされている。
【００２３】
また、透過液晶モニタ５Ｃは、その表示面の角度を調整可能にスタンド５Ｄに支えられている。この例では、支柱部５Ｄ２との付け根部で、角度調整可能とされている。また、透過液晶モニタ５Ｃは、高さ調節可能とされている。すなわち、キーボード１との間の距離を調整可能にスタンド５Ｄに支えられている。なお、本実施例において、透過液晶モニタ５Ｃには、最低限漢字が綺麗に表示できるドットを表示させるものとする。
【００２４】
〔編集文章表示装置の設置〕
この編集文章表示装置５は、図２に示されるように、キーボード１の底面１ａとこのキーボード１が置かれる面（載置面）６との間の隙間ｈにスタンド５Ｄの脚部５Ｄ１を差し込んで設置される。このスタンド５Ｄの設置状態において、透過液晶モニタ５Ｃは、キーボード１の上面に浮上した状態で位置し、キーボード１上のキーがある部分に重ねられる。
【００２５】
この際、操作者は、必要に応じて、スタンド５Ｄの設置位置を調整したり、透過液晶モニタ５Ｃの表示面の角度を調整したり、透過液晶モニタ５Ｃのキーボード１との間の距離を調節したりする。この場合、透過液晶モニタ５Ｃの下面側の空間で無理なくキー操作ができるように、透過液晶モニタ５Ｃのキーボード１との間の距離を確保する。
【００２６】
〔編集文章の表示〕
次に、この編集文章表示装置５の使用時の動作について説明する。なお、この編集文章表示装置５の使用に際しては、ＵＳＢコネクタ５Ａをパソコン４のＵＳＢポートに差し込む。これにより、パソコン４から透過液晶モニタ５Ｃへの電源入力、信号入力などが行われる。
【００２７】
操作者は、キーボード１を操作するこにより、文字を打ち込む。この場合、透過液晶モニタ５Ｃが浮上しているので、その透過液晶モニタ５Ｃの下面側の空間に指を入れて、キー操作を行う。この際、透過液晶モニタ５Ｃの透過液晶部５Ｃ１は透き通っているので、キーの位置を観察しながら、キー操作を行うことができる。また、透過液晶モニタ５Ｃのフレーム５Ｃ２やスタンド５Ｄも透明であるので、これらが操作者の視界を遮ることもない。
【００２８】
キーボード１から打ち込まれた文字は、ディスプレイ２に表示されると同時に、手元の透過液晶モニタ５Ｃにも表示される。この文字はＥＮＴＥＲキーを押すまではずっと表示されたままである。文字を打ち込んで行き、ある程度の文章ができあがり、ＥＮＴＥＲキーを押すと、編集中の文章が完成し、手元の透過液晶モニタ５Ｃから文字が消える。以下、同様にして、手元の透過液晶モニタ５Ｃに編集中の文章を表示させながら、ディスプレイ２上で文章を作成して行く。
【００２９】
このように、本実施例では、キーボード１から打ち込まれた編集中の文章がディスプレイ２に表示されると同時に、手元の透過液晶モニタ５Ｃにも表示されるものとなる。これにより、キー操作時の視線の移動距離が限りなく少なくなり、疲れにくく、誤字や脱字も少なくなる。
【００３０】
また、編集文章表示装置５の設置に際しては、スタンド５Ｄの脚部５Ｄ１をキーボード１の底面１ａとこのキーボード１の載置面６との間の隙間ｈに差し込むのみでよく、取り付けが極めて簡単である。また、上述した実施例では、デスクトップ型のパソコンを例にとって説明したが、ノート型などジャンルを問わず、どのようなパソコンでも使用することが可能である。
【００３１】
また、インタフェースはＵＳＢ接続のみなので、ＵＳＢコネクタ５ＡをパソコンのＵＳＢポートに差し込むだけで、誰でも簡単に使用することができる。
【００３２】
また、本実施例によれば、高さ調整、液晶の角度調整も可能で、大々的に机上に設置する必要もなく、軽量に設計することもできる。また、折りたためる構造とすれば、コンパクトで持ち運びも楽となり、手軽に汎用のパソコンに使用することができる。
【産業上の利用可能性】
【００３３】
本発明の編集文章表示装置および方法は、パソコンなどキーボードとディスプレイとを備えた情報処理装置に利用することが可能である。
【符号の説明】
【００３４】
１…キーボード、１ａ…底面、２…ディスプレイ、３…コンピュータ本体、４…パソコン、５…編集文章表示装置、５Ａ…ＵＳＢコネクタ、５Ｂ…ケーブル、５Ｃ…透過液晶モニタ、５Ｃ１…透過液晶部、５Ｃ２…フレーム、５Ｄ…スタンド、５Ｄ１…脚部、５Ｄ２…支柱部、６…載置面、ｈ…隙間。
【図１】
2010287084.tif 000003
【図２】
2010287084.tif 000004